(57)【要約】【課題】空間内の臭いのもとの方向にむけてイオンを含んだ空気を当てることができる使い勝手の良い送風機を提供することを目的とする。【解決手段】天井に設置される送風機において、開口部２で全開または扇形の部分を残し、開口部２の残りの部分を閉止するシャッター８と、開口部２でシャッター８を回転駆動させるシャッター回動手段９と、シャッター８の開口角度を調整するシャッター開閉手段１０と、シャッター回動手段９とシャッター開閉手段１０を動作させて開口部２の開口方向および開口角度を制御しファンモータ５とイオン発生部７を動作させて室内空間にイオンを含んだ空気を送る制御部１１を備え、臭い検知部６からの信号をもとにシャッター回動手段９とシャッター開閉手段１０を動作させ、開口部２の開口面積を絞ることでシャッター開口方向を制御する。【選択図】図１
2013217519.tif 000002
【特許請求の範囲】
【請求項１】
天井に設置される本体と、この本体の底面に設けた円形の開口部と、前記円形の開口部の中心側に空気を前記本体内に吸込む吸込口と、前記円形の開口部の外周側に空気を室内空間に吐出す吹出口と、前記本体内で前記吸込口と前記吹出口とを結ぶ通風路と、前記通風路内に設けて前記吸込口から吸い込んだ空気を吹出口から吹き出して室内空気を循環させるファンモータと、前記吸込口から吸込んだ空気の臭いを検知する臭い検知部と、前記吹出口から放出して室内の空気を浄化するためのイオン発生部と、前記開口部で全開、または扇形の部分を残してこの開口部の残りの部分を閉止するシャッターと、前記開口部で前記シャッターを回転駆動させるシャッター回動手段と、前記シャッターの開口角度を調整するシャッター開閉手段と、前記シャッター回動手段と前記シャッター開閉手段を動作させて前記開口部の開口方向および開口角度を制御し前記ファンモータと前記イオン発生部を動作させて室内空間にイオンを含んだ空気を送る制御部を備え、前記制御部は、前記臭い検知部からの信号をもとに室内空間の臭いレベルを判定する臭いレベル判定手段と、前記シャッター開閉角度と回動角度の目標値を格納する角度データ格納部と、前記臭いレベル判定手段からの信号をもとにして前記臭いレベルが所定の値よりも低い時と高い状態に変化した時、および臭いの発生方向が特定された時に分けて、前記角度データ格納部のデータをシャッター角度制御手段へ送信する目標角度設定手段と、前記目標角度設定手段の信号により前記シャッター開閉手段およびシャッター回動手段を動作させるシャッター角度制御手段と、前記臭いレベルが所定の値よりも高い状態に変化した時に前記目標角度設定手段から前記シャッター角度制御手段へ送信される信号に同期して前記臭い検知部からの信号を取り込んで格納し、その後前記格納したデータをもとに臭いの発生方向と範囲を特定して前記角度データ格納部に格納する臭い位置特定手段を備えた送風機。
【請求項２】
角度データ格納部は、臭いレベルが所定の値よりも低い時のシャッター開閉角度およびシャッター回動角度を格納する初期動作データ部と、臭いレベルが所定の値よりも高い状態に変化した時の前記シャッター開閉角度およびシャッター回動角度を格納する臭い発生位置サーチデータ部と、臭いの発生方向が特定された時の前記シャッター開閉角度および前記シャッター回動角度を格納する臭い発生位置データ部を備え、前記臭い発生位置サーチデータ部は、開口部を所定の数に分割する扇形に開口したシャッターをステップ駆動して一回転させるデータと前記扇形をなすシャッター開閉角度データを備えた請求項１記載の送風機。
【請求項３】
臭い検知部は、ファンモータを備えた通風路を通る気流の臭いを検知できるように配置し、吸込んだ空気の臭いのみを検知することを特徴とする請求項１記載の送風機。
【請求項４】
イオン発生装置は、ファンモータを備えた通風路において臭い検知部よりも吹出口に近い位置に配置することを特徴とする請求項１記載の送風機。
【発明の詳細な説明】
【技術分野】
【０００１】
本発明は、吸込口と吹出口をシャッターで覆い、開口部を回転駆動させることで臭いのもとに向けて局所的にイオンを含んだ空気を当てて循環させる送風機に関するものである。
【背景技術】
【０００２】
従来、この種の天井埋込型送風機は、空間内の臭いの発生位置に関わらず、部屋全体の空気を循環しイオンを含む空気を送風していた（例えば、特許文献１参照）。
【先行技術文献】
【特許文献】
【０００３】
【特許文献１】特開２０１１−２５３７８０号公報
【発明の概要】
【発明が解決しようとする課題】
【０００４】
従来のような天井設置型でファンモータを用いて空間内の空気を循環させ、イオン発生機を用いて空間内にイオンを発生させる送風機は、吸込口と吹出口が全方向に向いており、空間内の空気全体を循環させる機構になっているため、空間内の一箇所に臭いのもとが存在するような場合においても、空間全体の空気を循環させるような運転をするので、においのもとに向けて局所的な空気の循環をさせることができなかった。
【０００５】
そこで本発明は、上記従来の課題を解決するものであり、空間内の臭いのもとの方向にむけて局所的にイオンを含んだ空気を当てることができる送風機を提供することを目的とする。
【課題を解決するための手段】
【０００６】
そして、この目的を達成するために、本発明における送風機は、天井に設置される本体と、この本体の底面に設けた円形の開口部と、前記円形の開口部の中心側に空気を前記本体内に吸込む吸込口と、前記円形の開口部の外周側に空気を室内空間に吐出す吹出口と、前記本体内で前記吸込口と前記吹出口とを結ぶ通風路と、前記通風路内に設けて前記吸込口から吸い込んだ空気を吹出口から吹き出して室内空気を循環させるファンモータと、前記吸込口から吸込んだ空気の臭いを検知する臭い検知部と、前記吹出口から放出して室内の空気を浄化するためのイオン発生部と、前記開口部で全開、または扇形の部分を残してこの開口部の残りの部分を閉止するシャッターと、前記開口部で前記シャッターを回転駆動させるシャッター回動手段と、前記シャッターの開口角度を調整するシャッター開閉手段と、前記シャッター回動手段と前記シャッター開閉手段を動作させて前記開口部の開口方向および開口角度を制御し前記ファンモータと前記イオン発生装置を動作させて室内空間にイオンを含んだ空気を送る制御部を備え、前記制御部は、前記臭い検知部からの信号をもとに室内空間の臭いレベルを判定する臭いレベル判定手段と、前記シャッター開閉角度と回動角度の目標値を格納する角度データ格納部と、前記臭いレベル判定手段からの信号をもとにして前記臭いレベルが所定の値よりも低い時と高い状態に変化した時、および臭いの発生方向が特定された時に分けて、前記角度データ格納部のデータをシャッター角度制御手段へ送信する目標角度設定手段と、前記目標角度設定手段の信号により前記シャッター開閉手段およびシャッター回動手段を動作させるシャッター角度制御手段と、前記臭いレベルが所定の値よりも高い状態に変化した時に前記目標角度設定手段から前記シャッター角度制御手段へ送信される信号に同期して前記臭い検知部からの信号を取り込んで格納し、その後前記格納したデータをもとに臭いの発生方向と範囲を特定して前記角度データ格納部に格納する臭い位置特定手段を備えたので、前記の目的を達成するものである。
【発明の効果】
【０００７】
本発明によれば、天井に設置される本体と、この本体の底面に設けた円形の開口部と、前記円形の開口部の中心側に空気を前記本体内に吸込む吸込口と、前記円形の開口部の外周側に空気を室内空間に吐出す吹出口と、前記本体内で前記吸込口と前記吹出口とを結ぶ通風路と、前記通風路内に設けて前記吸込口から吸い込んだ空気を吹出口から吹き出して室内空気を循環させるファンモータと、前記吸込口から吸込んだ空気の臭いを検知する臭い検知部と、前記吹出口から放出して室内の空気を浄化するためのイオン発生部と、前記開口部で全開、または扇形の部分を残してこの開口部の残りの部分を閉止するシャッターと、前記開口部で前記シャッターを回転駆動させるシャッター回動手段と、前記シャッターの開口角度を調整するシャッター開閉手段と、前記シャッター回動手段と前記シャッター開閉手段を動作させて前記開口部の開口方向および開口角度を制御し前記ファンモータと前記イオン発生装置を動作させて室内空間にイオンを含んだ空気を送る制御部を備え、前記制御部は、前記臭い検知部からの信号をもとに室内空間の臭いレベルを判定する臭いレベル判定手段と、前記シャッター開閉角度と回動角度の目標値を格納する角度データ格納部と、前記臭いレベル判定手段からの信号をもとにして前記臭いレベルが所定の値よりも低い時と高い状態に変化した時、および臭いの発生方向が特定された時に分けて、前記角度データ格納部のデータをシャッター角度制御手段へ送信する目標角度設定手段と、前記目標角度設定手段の信号により前記シャッター開閉手段およびシャッター回動手段を動作させるシャッター角度制御手段と、前記臭いレベルが所定の値よりも高い状態に変化した時に前記目標角度設定手段から前記シャッター角度制御手段へ送信される信号に同期して前記臭い検知部からの信号を取り込んで格納し、その後前記格納したデータをもとに臭いの発生方向と範囲を特定して前記角度データ格納部に格納する臭い位置特定手段を備えた送風機であって、臭いレベル判定手段は、臭い検知部からの信号により室内空間の臭いレベルが室内空間に臭いが発生したことを判定する所定の値を越えたことを検出すると、目標角度設定手段は、所定時間ごとに角度データ格納部の角度データをシャッター角度制御手段へ送信することで、シャッター角度制御手段がシャッター開閉手段を動作させシャッター開口部を扇形の部分に絞り、シャッター回動手段を動作させ所定時間ごとに開口方向を変化さるとともに、臭い位置特定手段は、開口方向に対応させて臭い検知手段から臭いデータを取り込んで格納することとなり、また、格納した臭いデータをもとに臭いの発生方向と範囲を特定することとなり、目標角度設定手段は、特定した臭いの発生方向と範囲をシャッター角度制御手段に送信することで、シャッターによって開口部の開口方向を臭いの発生方向に向けることができるので、局所的にイオンを含んだ空気を当てることができる送風機を提供できる。
【図面の簡単な説明】
【０００８】
【図１】本発明の実施の形態の送風機の構成を示す図
【図２】同実施の形態の送風機の制御構成図
【図３】同実施の形態の角度データ格納部の構成図
【図４】同実施の形態の送風機のシャッター角度定義図
【図５】同実施の形態の動作を示すフローチャート
【図６】同実施の形態の臭い発生位置サーチ動作の制御構成図
【図７】同実施の形態の臭い発生位置特定動作の制御構成図
【発明を実施するための形態】
【０００９】
本発明の請求項１記載の送風機は、天井に設置される本体と、この本体の底面に設けた円形の開口部と、前記円形の開口部の中心側に空気を前記本体内に吸込む吸込口と、前記円形の開口部の外周側に空気を室内空間に吐出す吹出口と、前記本体内で前記吸込口と前記吹出口とを結ぶ通風路と、前記通風路内に設けて前記吸込口から吸い込んだ空気を吹出口から吹き出して室内空気を循環させるファンモータと、前記吸込口から吸込んだ空気の臭いを検知する臭い検知部と、前記吹出口から放出して室内の空気を浄化するためのイオン発生部と、前記開口部で全開、または扇形の部分を残してこの開口部の残りの部分を閉止するシャッターと、前記開口部で前記シャッターを回転駆動させるシャッター回動手段と、前記シャッターの開口角度を調整するシャッター開閉手段と、前記シャッター回動手段と前記シャッター開閉手段を動作させて前記開口部の開口方向および開口角度を制御し前記ファンモータと前記イオン発生装置を動作させて室内空間にイオンを含んだ空気を送る制御部を備え、前記制御部は、前記臭い検知部からの信号をもとに室内空間の臭いレベルを判定する臭いレベル判定手段と、前記シャッター開閉角度と回動角度の目標値を格納する角度データ格納部と、前記臭いレベル判定手段からの信号をもとにして前記臭いレベルが所定の値よりも低い時と高い状態に変化した時、および臭いの発生方向が特定された時に分けて、前記角度データ格納部のデータをシャッター角度制御手段へ送信する目標角度設定手段と、前記目標角度設定手段の信号により前記シャッター開閉手段およびシャッター回動手段を動作させるシャッター角度制御手段と、前記臭いレベルが所定の値よりも高い状態に変化した時に前記目標角度設定手段から前記シャッター角度制御手段へ送信される信号に同期して前記臭い検知部からの信号を取り込んで格納し、その後前記格納したデータをもとに臭いの発生方向と範囲を特定して前記角度データ格納部に格納する臭い位置特定手段を備えたものである。
【００１０】
これにより、臭いレベル判定手段は、臭い検知部からの信号により室内空間の臭いレベルが室内空間に臭いが発生したことを判定する所定の値を越えたことを検出すると、目標角度設定手段は、所定時間ごとに角度データ格納部の角度データをシャッター角度制御手段へ送信することで、シャッター角度制御手段がシャッター開閉手段を動作させシャッター開口部を扇形の部分に絞り、シャッター回動手段を動作させ所定時間ごとに開口方向を変化さるとともに、臭い位置特定手段は、開口方向に対応させて臭い検知手段から臭いデータを取り込んで格納することとなり、また、格納した臭いデータをもとに臭いの発生方向と範囲を特定することとなり、目標角度設定手段は、特定した臭いの発生方向と範囲をシャッター角度制御手段に送信することで、シャッターによって開口部の開口方向を臭いの発生方向に向けることができるので、空間内の臭いのもとに向けて局所的にイオンを含んだ空気を当てることができる。
【００１１】
また、請求項２記載の送風機は、角度データ格納部は、臭いレベルが所定の値よりも低い時のシャッター開閉角度およびシャッター回動角度を格納する初期動作データ部と、
臭いレベルが所定の値よりも高い状態に変化した時の前記シャッター開閉角度およびシャッター回動角度を格納する臭い発生位置サーチデータ部と、臭いの発生方向が特定された時の前記シャッター開閉角度および前記シャッター回動角度を格納する臭い発生位置データ部を備え、前記臭い発生位置サーチデータ部は、開口部を所定の数に分割する扇形に開口したシャッターをステップ駆動して一回転させるデータと前記扇形をなすシャッター開閉角度データを備えたものである。
【００１２】
これにより、目標角度設定手段は、臭いレベルが所定の値よりも低い際は、目標角度書換え手段は角度データ格納部の初期動作データ部に格納されたデータを読み込むことで、初期状態におけるシャッター開閉角度およびシャッター回動角度に設定することとなり、臭いレベルが所定の値よりも高い状態に変化した際は、目標角度書換え手段は所定時間ごとに角度データ格納部の臭い発生位置サーチデータ部に順次格納されているデータを読み取ることで、開口部を所定の数に分割し所定の時間ごとに分割した角度ごとにシャッター回動角度を変化させ、ステップ駆動して一回転させる臭い発生位置サーチモードにおけるシャッター開閉角度およびシャッター回動角度に設定することとなり、また、シャッター回動角度を書換えるタイミングに同期して臭い位置特定手段に信号を送ることで、臭い位置特定手段に現在のシャッター開口方向の臭いデータを蓄積し、臭い位置特定手段を用いて臭いの発生位置および発生範囲に合わせたシャッター開閉角度およびシャッター回動角度を算出し、臭い位置特定手段が臭いの発生位置および発生範囲に合わせたシャッター開閉角度およびシャッター回動角度を角度データ格納部の臭い発生位置データ部に格納することで、目標角度設定手段が角度データ格納部の臭い発生位置データ部に格納されたデータを読み込み、臭いの発生位置および発生範囲に合わせたシャッター開閉角度およびシャッター回動角度に設定することとなるので、臭いレベル判定手段からの信号をもとに角度データ格納部からシャッター開閉角度およびシャッター回動角度を読み込み、現在の動作モードに合わせたシャッター開閉角度およびシャッター回動角度に自動で設定することができる。
【００１３】
また、請求項３記載の送風機は、臭い検知部は、ファンモータを備えた通風路を通る気流の臭いを検知できるように配置し、吸込んだ空気の臭いのみを検知することを特徴とする。
【００１４】
これにより、臭い検知部は吸込んだ空気の臭いのレベルを検出することとなるので、現在の開口の方向のみの臭いを検出することができるため、臭いの発生方向を正確に把握することができる。
【００１５】
また、請求項４記載の送風機は、イオン発生装置は、ファンモータを備えた通風路において臭い検知部よりも吹出口に近い位置に配置することを特徴とする。
【００１６】
これにより、臭い検知部は、イオンによる脱臭を行う前の空気の臭い検知を行うこととなるので、空間内の臭いの度合いを正確に判断することができる。
【００１７】
以下、本発明の実施の形態について図面を参照しながら説明する。
【００１８】
（実施の形態１）
図１に示すように、本実施の形態の送風機は、天井に設けた開口に一部を埋め込んで設置される。
【００１９】
送風機の本体１は、天井に埋め込むことができる箱体であって、底面に円形の開口部２があり、開口部２の中心側に空気を前記本体内に吸込む吸込口３と、開口部２の外周側に空気を室内空間に吐出す吹出口４を備えている。
【００２０】
本体１内には、吸込口３と吹出口４とを結ぶ通風路４Ａと、通風路４Ａ内に設けて吸込口３から吸い込んだ空気を吹出口４から吹き出して室内空気を循環させるファンモータ５と、吸込口３から吸込んだ空気の臭いを検知し臭いのレベルに合わせて信号を送る臭い検知部６と、吹出口４から放出して室内の空気を浄化するためのイオン発生部７を備えている。
【００２１】
また、開口部２には、この開口部２で全開、または扇形の部分を残して開口部２の残りの部分を閉止するシャッター８と、開口部２でシャッター８を回転駆動させるシャッター回動手段９と、シャッター８の開口角度を調整するシャッター開閉手段１０を備えている。
【００２２】
さらに、本体１内には、シャッター回動手段９とシャッター開閉手段１０を動作させて開口部２の開口方向および開口角度を制御しファンモータ５とイオン発生部７を動作させて室内空間にイオンを含んだ空気を送る制御部１１を備えている。
【００２３】
ここで、現在のシャッター開口方向から吸込んだ空気のみの臭いのレベルを検出するために、臭い検知部６は、通風路４Ａにあって、ファンモータ５の動作によって通路内を通る気流の臭いを検知できるように、吸込口３から離れた位置で、ファンモータ５より吸込口側に配置されている。
【００２４】
また、臭い検知部６は、通路内を通る気流の臭いのレベルを正確に判断することが重要であり、そのために、イオン発生部７は、臭い検知部６がイオン発生部７による脱臭を行う前の空気の臭い検知を行うように本体１の通風路４Ａにおいて臭い検知部６よりも吹出口４に近い位置に配置されている。
【００２５】
図２に示すように、制御部１１は、臭い検知部６からの信号をもとに臭いの値が所定の大きさ以上の場合は室内空間の臭いレベルが「大」であると判断し所定の大きさ以下の場合は室内空間の臭いレベルが「小」であると判断する臭いレベル判定手段１２と、シャッター開閉角度とシャッター回動角度の制御目標値を格納する角度データ格納部１３と、臭いレベル判定手段１２からの信号をもとに角度データ格納部１３のデータを読み込みシャッター角度制御手段１５へ送信する目標角度設定手段１４と、目標角度設定手段１４の信号によりシャッター回動手段９およびシャッター開閉手段１０を動作させるシャッター角度制御手段１５を備えている。
【００２６】
なお、本実施の形態では、所定の大きさの基準値を備え、この基準値に基づいて、臭いレベル「小」の判断と、臭いレベル「大」の判断を行い、臭いの発生の「なし」、「有」を判断するものである。
【００２７】
また、制御部１１は、臭いレベルが「小」から「大」に変化した時に目標角度設定手段１４からのシャッター角度制御手段１５へ送信される信号に同期して臭い検知部６からの信号を取り込んで格納し、その後前記格納したデータをもとに臭いの発生方向と範囲を特定して角度データ格納部１３に格納する臭い位置特定手段１６を備えている。
【００２８】
そして、臭い位置特定手段１６は、目標角度設定手段１４からのシャッター角度制御手段１５へ送信される信号に同期して臭い検知部６からの信号を取り込んで格納し現在のシャッター開口方向における臭いレベルを格納する臭いデータ格納部１７と、臭いデータ格納部１７に格納されたデータをもとに臭いの発生位置を特定して臭いの発生位置に合わせたシャッター回動角度およびシャッター開閉角度を角度データ格納部１３に送るデータ解析手段１８を備えている。
【００２９】
角度データ格納部１３は、図３に示すように、臭いレベルが所定の値よりも低い時のシャッター回動角度θ0およびシャッター開閉角度φ0を格納する初期動作データ部１９と、臭いレベルが所定の値よりも高い状態に変化した時のシャッター回動角度θ1からθｎおよびシャッター開閉角度φ1からφｎを格納する臭い発生位置サーチデータ部２０と、臭いの発生方向が特定された時のシャッター回動角度θｘおよびシャッター開閉角度φｘを格納する臭い発生位置データ部２１を備えている。
【００３０】
臭い発生位置データ部２１は、初期状態ではシャッター開閉角度およびシャッター回動角度のデータは格納されておらず、臭い位置特定手段１６が臭いの発生方向と範囲を特定したのち、臭いの発生位置に合わせた角度データが格納されるものである。
【００３１】
シャッター開閉角度φおよびシャッター回動角度θは図４に示すように定義する。
【００３２】
すなわち、シャッター開閉角度φは、シャッター開閉手段１０の初期位置φ0からシャッター開閉手段１０がシャッターを開口した部分までの角度であり、シャッター回動角度θは、シャッター回動手段９の初期位置φ0からシャッター回動手段９が回転駆動した分の角度である。
【００３３】
上記構成において、臭い検知部６からの信号をもとに目標角度設定手段１４が角度データ格納部１３に格納されている角度データを読み込み、送風機のシャッター回動角度およびシャッター開閉角度を制御して臭いの発生位置を特定し、空間内の臭いのもとの方向にむけて局所的にイオンを含んだ空気を当てる動作を図５を用いて説明する。
【００３４】
送風機の本体１の電源を入れると、図５のＳＴＥＰ１に示すように、目標角度設定手段１４は、角度データ格納部１３の初期動作データ部１９に格納されたデータを読み込む。初期動作データ部１９には、シャッター開閉角度φ0＝３６０°およびシャッター回動角度θ0＝０°の角度データを格納しているので、目標角度設定手段１４はシャッター開閉角度φ0＝３６０°（全開状態）、およびシャッター回動角度θ0＝０°の角度になるようにシャッター回動手段９とシャッター開閉手段１０を駆動させることとなり、シャッター８は全開状態となる。
【００３５】
そして、制御部１１がファンモータ５を回転させ、室内空間の空気が吸込口３に流れ込み、吸込口３を通過した空気は臭い検知部６によって臭いレベルを測定され、イオン発生部７によってイオンを含んだ空気が吹出口４を通って室内空間に吹出されることとなる。初期状態ではシャッター８は全開状態であるため、室内空間全体の空気が循環することとなる。
【００３６】
ここで、室内空間に臭いのもとが存在すると、臭いを含んだ空気が吸込口３から流れ込み臭い検知部６に届く。臭い検知部６は、臭いの強さに応じた信号を出すため、その信号を臭いレベル判定手段１２によって判定し、臭い検知部からの信号が所定値以上であった場合、室内空間に臭いのもとが出現したと判断する。
【００３７】
しかしながら、初期状態ではシャッター８は全開状態となっており、室内空間の全方向から空気を吸込んでいるため、臭いの発生位置を特定することができない。そこで、本実施の形態は、シャッター開閉角度を絞り、シャッター回動角度をステップ駆動することにより臭いの発生位置を特定するものであり、以下その動作を説明する。
【００３８】
ＳＴＥＰ２に示すように、臭い検知部６からの信号をもとに臭いレベル判定手段１２が臭いレベルを「小」と判断している時は、目標角度設定手段１４は通常動作として角度データ格納部１３の初期動作データ部１９に格納されたデータを読み込む。
【００３９】
このとき、初期動作データ部１９には、例えばシャッター開閉角度φ0＝３６０°およびシャッター回動角度θ0＝０°の角度データを格納しておくことで、臭いレベル判定手段１２が臭いレベルを「小」と判断している時は、目標角度設定手段１４が初期動作データ部１９に格納された上記データを読み込み、シャッター開口部を全開にすることで部屋全体の空気を循環させる動作を行うこととなる。即ち、室内空間には臭いの発生はなしと判断し、部屋全体を消臭する動作を継続することとなる。
【００４０】
次に、臭いレベル判定手段１２が臭いレベルが「小」から「大」に変化したことを検知すると、室内空間に臭いが発生したと判断し、臭い発生位置サーチ動作に移行するためにＳＴＥＰ３に進む。
【００４１】
臭いレベル判定手段１２が室内空間に臭いが発生したと判断すると、ＳＴＥＰ３に示すように目標角度設定手段１４は、図６に示すように臭い発生位置サーチデータ部２０のｎ＝１部に格納されたデータ（シャッター開口角度φ１）を読み込み、シャッター角度制御手段１５に信号を送ることで、シャッター開閉角度を狭めることとなる。これにより、シャッター８の開口部が狭まり、室内空間から吸込む空気の方向を限定することが可能になる。
【００４２】
そして、Ｔ［ｓｅｃ］経過後、ＳＴＥＰ４に示すように、目標角度設定手段１４は、次の格納部（ｎ＝２）に格納されたデータを読み、シャッター開口角度φ２は、変化がないので、シャッター回動角度θ２により、シャッター開口方向を変化更させることとなる。ここで、例えば臭い発生位置サーチデータ部２０に、シャッター開口角度φ１＝３０°、φ２＝３０°、φ３＝３０°、・・・、φｎ＝３０°およびシャッター回動角度θ１＝０°、θ２＝３０°、θ３＝６０°、・・・、θｎ＝３３０°の角度データを格納しておくことで、目標角度設定手段がｎ＝１のデータから順に所定時間Ｔ［ｓｅｃ］毎に臭い発生位置サーチデータ部２０のデータを読み込み、例えば上記の例においては開口角度３０°を保ったまま、３０°ずつ、シャッターの開口方向を変化させ、一回転分のステップ駆動を行うこととなる。この動作を臭い発生位置サーチ動作と呼ぶ。
【００４３】
これにより、シャッター開口部の方向を回転させ、室内空間から吸込む空気の領域を変化させていくこととなる。
【００４４】
なお、シャッター開口角度φおよびシャッター回動角度θは任意に設定可能である。
【００４５】
上記臭い発生位置サーチ動作中は、図６に示すように、臭いデータ格納部１７は、目標角度設定手段１４がシャッター角度制御手段１５に送るシャッター回動角度θを読み取ることで現在のシャッターの開口方向と臭い検知データを結びつけることができる。
【００４６】
また、目標角度設定手段１４がシャッター角度制御手段１５に信号を送る間隔を所定時間Ｔ［ｓｅｃ］としているので、臭いデータ格納部１７は、目標角度設定手段１４がシャッター角度制御手段１５に信号を送るタイミングに同期して臭い検知部６からの臭い値の取り込みを開始してシャッター開口方向のデータに対応させて格納する。すなわち、目標角度設定手段１４がシャッター角度制御手段１５に次の角度データの信号を送るタイミングに同期して、臭いデータ格納部１７は、次のシャッター開口方向のデータに臭い検知部６からの臭い値の取り込み先を変更することで、現在のシャッター開口方向における臭い値を格納していくことができる。これにより、現在の室内空気の吸込み方向における臭い値をデータとして蓄積していくことができる。
【００４７】
ＳＴＥＰ５に示すように、目標角度設定手段１４は所定時間Ｔ［ｓｅｃ］ごとに臭い発生位置サーチデータ部２０に格納されたデータを順次読み込んでいく。目標角度設定手段１４が臭い発生位置サーチデータ部２０に格納されたデータを順次読み込み、一回転分のデータを読み込んだ場合、臭いデータ格納部１７は全方向の臭いデータを格納したと判断し、ＳＴＥＰ６に進む。
【００４８】
臭いデータ格納部１７がシャッター回動角度θに対応して一周分のデータを格納すると、ＳＴＥＰ６に示すように、データ解析手段１８が臭いデータ格納部１７に格納された各データの解析を開始する。それぞれのシャッター開口方向毎に蓄積された臭い検知部６からの信号の大きい順に並び替えることで、どの方向にもっとも強い臭いが発生しているかを判断することができ、臭いデータの最も大きい領域におけるシャッター開口角度およびシャッター回動角度をそれぞれφｘ、θｘとおき、図７に示すように臭い発生位置データ部２１に格納する。この動作を臭い発生位置特定動作と呼ぶ。
【００４９】
また、例えば臭いデータの最大値もしくは平均値が最も大きい領域だけでなく、複数の領域のデータを取り上げ、それが隣合う領域であった場合にはシャッター開閉角度を足し合わせてシャッター開口角度φｘとすれば、臭いの発生範囲に合わせたシャッター開口角度φｘを算出することも可能となる。これにより、臭いの発生もとが初期のシャッター開口角度φ１よりも大きかった場合に、臭いの発生範囲に合わせてシャッター開口角度φを広げ、臭いの発生もとの大きさに合わせて効率よくイオンを含んだ空気を当てることが可能となる。
【００５０】
データ解析手段１８がシャッター開閉角度φｘおよびシャッター回動角度θｘを算出し、角度データ格納部１３の臭い発生位置データ部２１に格納すると、ＳＴＥＰ７に示すように目標角度設定手段１４は角度データ格納部１３の臭い発生位置データ部２１に格納されたシャッター開閉角度φｘおよびシャッター回動角度θｘを読み込み、シャッター角度制御手段１５に送る。これにより、臭いの発生位置にシャッター開口方向を向けることとなり、空間内の臭いのもとに向けて局所的にイオンを含んだ空気を当てることとなる。これを臭い除去動作と呼ぶ。
【００５１】
以上から、室内空間に臭いのもとが出現した際には、シャッター８の開口領域を狭めることで室内空間から吸込む空気の方向を限定し、限定した方向から吸込んだ空気の臭いレベルを蓄積し、開口領域一回転分を蓄積して、比較することで臭いの発生方向を特定し、特定した方向に向けてシャッターの開口領域を制御することで、臭いの発生方向に向けてイオンを含んだ空気を当て、室内空間における臭いの発生位置方向のみの空気を循環させることで、従来の部屋全体の空気を循環させる送風機よりも効率よく臭いの発生を抑えることが可能となる。
【００５２】
次に、臭い除去動作によって室内空間の臭いのもとが除去された際の動作について説明する。ＳＴＥＰ８に示すように、前記臭い除去動作において、臭い検知部６からの信号をもとに臭いレベル判定手段１２が臭いレベルを「大」と判断している間は、臭いのもとの脱臭が完了していないと判断し、目標角度設定手段１４は角度データ格納部１３の臭い発生位置データ部２１に格納されたデータを読み込んでおり、室内空間内の臭いの発生位置にシャッター開口方向を向け続ける。臭いレベル判定手段１２が臭いレベルが「大」から「小」に変化したことを検知すると、室内空間の臭いのもとの脱臭が完了したと判断してＳＴＥＰ１に戻り、目標角度設定手段１４は角度データ格納部１３の初期動作データ部１９を読み込み、シャッター開口部を全開にすることで初期動作状態に戻し部屋全体の空気を循環させる動作を行うこととなる。
【００５３】
以上のように、臭いが発生している際には室内空間の臭いのもとに向けて局所的に空気を循環させる動作をすることとなり、臭いの除去が終了した際には、部屋全体の空気を循環させる動作に自動的に切り替えることで、室内空間の臭いの状況に合わせて自動で運転モードを判断することで、室内空間の臭いのもとを効率よく抑制できる送風機が得られる。
【産業上の利用可能性】
【００５４】
本発明にかかる送風機は、臭い検知部からの信号をもとに室内空間の臭いレベルを判定し、臭いレベルが所定の値よりも低い時と高い状態に変化した時と、臭いの発生方向が特定された時に分けて、シャッター開閉角度およびシャッター回動角度を制御し、シャッター開口方向を変化させて各方向ごとの臭いレベルを検知するという構成にしたことにより、臭いの発生位置を特定し臭いの発生位置に合わせてシャッター開閉角度およびシャッター回動角度を制御することができるものであるので、室内空間に臭いが発生した場合にシャッター開口部を絞り、臭いの発生位置に合わせて局所的にイオンを含んだ空気を当てることが可能であり、従来の室内空間の臭いの発生位置に関わらず部屋全体の空気を循環しイオンを含む空気を送風する送風機よりも臭いの発生位置に合わせた送風動作を行うことが可能であり、使い勝手のよい送風機として有用である。
【符号の説明】
【００５５】
１    本体
２    開口部
３    吸込口
４    吹出口
４Ａ  通風路
５    ファンモータ
６    臭い検知部
７    イオン発生部
８    シャッター
９    シャッター回動手段
１０  シャッター開閉手段
１１  制御部
１２  臭いレベル判定手段
１３  角度データ格納部
１４  目標角度設定手段
１５  シャッター角度制御手段
１６  臭い位置特定手段
１７  臭いデータ格納部
１８  データ解析手段
１９  初期動作データ部
２０  臭い発生位置サーチデータ部
２１  臭い発生位置データ部
【図１】
2013217519.tif 000003
【図２】
2013217519.tif 000004
【図３】
2013217519.tif 000005
【図４】
2013217519.tif 000006
【図５】
2013217519.tif 000007
【図６】
2013217519.tif 000008
【図７】
2013217519.tif 000009